【手続補正書】
【提出日】平成20年2月14日(2008.2.14)
【手続補正１】
【補正対象書類名】特許請求の範囲
【補正対象項目名】全文
【補正方法】変更
【補正の内容】
【特許請求の範囲】
【請求項１】
光源からの光を、導光板を介して非自発光型表示パネルに照射するとともに表示データを表示する際、該表示パネルにおける輝度を均一に制御する方法において、
該表示パネルにおける輝度が実質的に均一になるように予め決定された補正値を記憶する記憶過程と、
前記表示データが表示される位置に対応する前記補正値を読み出して前記表示データのゲインを補正し、前記表示パネルにおける輝度を実質的に均一にする補正過程を含むことを特徴とする輝度制御方法。
【請求項２】
請求項１に記載の方法において、前記光源は、前記表示パネルに向けて該表示パネルの一辺から光を照射することを特徴とする輝度制御方法。
【請求項３】
請求項１または２に記載の方法において、
前記表示パネルは、暗部と明部を有し、
前記補正値は、該暗部の輝度が該明部の輝度と実質的に同じになるように予め決定され、
前記補正過程は、前記位置が前記暗部である場合に、該位置に対応する前記補正値を読み出して前記表示データのゲインを補正することを特徴とする輝度制御方法。
【請求項４】
請求項３に記載の方法において、前記暗部は、前記表示パネルを含む平面において幾何学的対称性を有し、
前記記憶過程は、該対称性を有する暗部の一方における前記補正値を記憶することを特徴とする輝度制御方法。
【請求項５】
請求項１ないし４のいずれかに記載の方法において、該方法はさらに、輝度を測定することにより前記補正値を決定する補正値決定過程を含むことを特徴とする輝度制御方法。
【請求項６】
請求項３ないし５のいずれかに記載の方法において、前記暗部および前記明部は、該暗部と該明部とを分ける境界で画成され、
該境界は、関数により近似され、
前記記憶過程は、該関数と、該関数により特定される前記暗部における前記補正値とを記憶し、
前記補正過程は、前記位置が前記暗部であるか否かを、前記関数を用いて判断し、該位置が前記暗部である場合に、該位置に対応する前記補正値を読み出して前記表示データのゲインを補正することを特徴とする輝度制御方法。
【請求項７】
請求項６に記載の方法において、前記関数は、前記境界につき少なくとも２つ設けられることを特徴とする表示方法。
【請求項８】
請求項６または７に記載の方法において、該方法はさらに、前記パネルにおける輝度ムラを測定することにより前記関数を決定する関数決定過程を含むことを特徴とする輝度制御方法。
【請求項９】
光源および該光源からの光を拡散する導光板を含むバックライト部を有し、該光を非自発光型表示パネルに照射して該表示パネルに表示データを表示する表示装置において、
該表示パネルにおける輝度が実質的に均一になるように予め決定された補正値を記憶する記憶手段と、
前記表示データが表示される位置に対応する前記補正値を前記記憶手段から読み出して前記表示データのゲインを補正し、前記表示パネルにおける輝度を実質的に均一にする補正手段とを含むことを特徴とする表示装置。
【請求項１０】
請求項９に記載の装置において、前記光源は、前記表示パネルに向けて該表示パネルの一辺から光を照射することを特徴とする表示装置。
【請求項１１】
請求項９または１０に記載の表示装置において、
前記表示パネルは、暗部と明部を有し、
前記補正値は、該暗部の輝度が該明部の輝度と実質的に同じになるように予め決定され、
前記補正手段は、前記位置が前記暗部である場合に、該位置に対応する前記補正値を前記記憶手段から読み出して前記表示データのゲインを補正することを特徴とする表示装置。
【請求項１２】
請求項１１に記載の装置において、前記暗部は、前記表示パネルを含む平面において幾何学的対称性を有し、
前記記憶手段は、該対称性を有する暗部の一方における前記補正値を記憶することを特徴とする表示装置。
【請求項１３】
請求項９ないし１２のいずれかに記載の装置において、前記補正値は、輝度を測定することにより決定されることを特徴とする表示装置。
【請求項１４】
請求項１１ないし１３のいずれかに記載の装置において、前記暗部と前記明部は、該暗部と該明部とを分ける境界で画成され、
該境界は、関数により近似され、
前記記憶手段は、該関数と、該関数により特定される前記暗部における前記補正値とを記憶しており、
前記補正手段は、前記位置が前記暗部であるか否かを、前記関数を用いて判断し、該位置が前記暗部である場合に、該位置に対応する前記補正値を前記記憶手段から読み出して前記表示データのゲインを補正することを特徴とする表示装置。
【請求項１５】
請求項１４に記載の装置において、前記関数は、前記境界につき少なくとも２つ設けられることを特徴とする表示装置。
【請求項１６】
請求項１４または１５に記載の装置において、前記関数は、前記パネルにおける輝度ムラを測定することにより決定されることを特徴とする表示装置。
【請求項１７】
請求項９ないし１６のいずれかに記載の表示装置において、前記表示パネルは液晶表示パネルであることを特徴とする表示装置。
【請求項１８】
請求項９ないし１７のいずれかに記載の表示装置を含むことを特徴とするデジタルカメラ。
【請求項１９】
請求項９ないし請求項１７のいずれかに記載の表示装置を含むことを特徴とする携帯電話。
【手続補正２】
【補正対象書類名】明細書
【補正対象項目名】００１９
【補正方法】変更
【補正の内容】
【００１９】
以上のように記憶部3に記憶されている補正値を用いて、補正部9は表示データを補正する。図４は、図１に示す補正部9における補正処理の手順の一例を示した流れ図である。図４に示す例では、図１に示す記憶部3に補正テーブルにより補正値が記憶されており、補正部9はこの補正値を用いて補正処理を行う。なお記憶部3に記憶されている補正テーブルは、暗部27の補正テーブルと暗部29の補正テーブルである。図１、図４において、補正部9は表示データ15が入力されると、補正を行うかどうかを判断し(ステップS1)、行わないと判断した場合は、補正処理を終了し、そのままの表示データ15を液晶パネル駆動部11へと送る。逆に、補正を行うと判断した場合は、その表示データ15の表示される位置、すなわち表示位置を検出し(ステップS2)、その表示位置が暗部27または暗部33であるかどうかを判断する(ステップS3)。暗部27または暗部33である場合は、さらに暗部27と暗部33のどちらに位置するかを判断し(ステップS4)、暗部27に位置する場合は暗部27の補正テーブルを記憶部3から読み出し、そこから得られる補正値を用いて表示データのゲインを補正する(ステップS5)。逆に暗部33に位置する場合は、暗部27の補正テーブル記憶部3から読み出すと共に、この補正テーブルを反転して補正値を得る。その後この補正値を用いて表示データ15のゲインを補正し(ステップS6)、補正処理を終了する。
【手続補正３】
【補正対象書類名】明細書
【補正対象項目名】００２４
【補正方法】変更
【補正の内容】
【００２４】
図５を用いてより詳細に説明すると、本実施例では光源にLEDを採用しているため、LEDが発光する光の指向性により暗部27、29、31、33と明部35の各境界51、53、55、57、59、61は実質的に直線となる。よって液晶パネル13の表示面を、LEDからの光が照射される下辺65の左側の端点63を原点、下辺65をX軸、および左辺67をY軸とした平面座標に見立て、明部27、29、31、33と暗部35の境界51、53、55、57、59、61を一次関数で近似する。例えば、暗部27における明部35との境界51の場合では、数１に示すような一次関数Aにより近似することができる。なお式中のaおよびbは正の数である。暗部27は、この一次関数Aに位置する部分、およびこの一次関数Aの左側に位置する部分と特定される。なお本実施例では、一次関数Aに位置する部分、すなわち、一次関数A上の点も暗部27に含めたが、これは一次関数A上の点も暗部27に含まれるように一次関数Aを決定したからであり、どのような関数を決定するかに応じて関数上の点を暗部に含めるかどうかを任意に選択することが可能である。
【手続補正４】
【補正対象書類名】明細書
【補正対象項目名】００３５
【補正方法】変更
【補正の内容】
【００３５】
また暗部29と実質的に同じ形状である暗部31についても同様に、一次関数D、一次関数d、一次関数E、および一次関数eによって、第５の暗部75と実質的に同じ形状である第７の暗部79と、第６の暗部77と実質的に同じ形状である第８の暗部81に分けて特定することができる。第７の暗部79には第３の補正値が、また第８の暗部81には第４の補正値が決定されており、このようにすることで境界57、59をわかりにくくして境界57、59の周辺の表示を滑らかにしている。
【手続補正５】
【補正対象書類名】明細書
【補正対象項目名】００３７
【補正方法】変更
【補正の内容】
【００３７】
図８は、図１に示す補正部9における別の補正処理の手順の一例を示した流れ図である。図８に示す例では、図５、図６、および図７に示したように暗部27、29、31、33を関数により特定し、特定された暗部毎の補正値を用いて補正処理を行う。なお図８に示す例では、各暗部27、29、31、33を細かく分けずに補正するか、または各暗部27、29、31、33を細かくわけて補正するかを選択する。つまり、図５および図７に示した記憶の仕方のうち、どちらか一方を選択する。よって記憶部3は、図５に示した各関数、図７に示した各関数、およびそれぞれの関数により特定される暗部27、29、31、33、71、73、75、77、79、81、83、85の補正値を記憶することになるが、図８に示す例では、図５に斜線で示された部分、および図７に斜線で示された部分の補正値を、それぞれの暗部毎に同じ補正値にすることで、記憶部3が記憶する情報量を減らしている。よって記憶部3は、暗部27、33、71、83の補正値である第１の補正値、暗部73、85の補正値である第２の補正値、暗部29、31、75、79の補正値である第３の補正値、および暗部77、81の補正値である第４の各補正値を記憶している。なお本発明はこれに限定するわけではなく、例えば図５に斜線で示された部分、および図７に斜線で示された部分を、それぞれ異なる補正値にしてもよい。